【手続補正書】
【提出日】平成22年9月27日(2010.9.27)
【手続補正１】
【補正対象書類名】特許請求の範囲
【補正対象項目名】全文
【補正方法】変更
【補正の内容】
【特許請求の範囲】
【請求項１】
左右方向に延び互いに連結されている複数のスラットが上下方向に配列してなり構造物に形成されている開口部の上部に取り付けられるシャッターカーテンと、少なくとも一部の該スラットを枢支して連結するリンク部材と、該開口部を閉じるカーテン閉位置と該開口部を開くカーテン開位置との間で該シャッターカーテンを上下動させる開閉手段と、を備え、
該スラットの少なくとも１つであり該リンク部材に枢支されている開閉スラットが、隣接する該スラットとの間に間隙が形成されるスラット開位置と、隣接する該スラットと当接して該間隙が閉じるスラット閉位置と、の間で回動可能であり、
該シャッターカーテンが該カーテン閉位置に配されると隣接する該スラット同士が嵌合し、該シャッターカーテンが該カーテン閉位置から上動した距離が所定長さ以上になると該開閉スラットの該嵌合が外れるシャッター装置であって、
該スラットとは別体であり、該開閉スラットが回動する回動可能領域の内外に変位し、該回動可能領域内のロック位置で固定されるロック手段を備え、
該ロック手段は、該ロック位置に固定されると、該開閉スラットの回動を規制して該開閉スラットの回動角を所定の範囲にてロックすることを特徴とするシャッター装置。
【請求項２】
前記ロック手段は、前記ロック位置において、前記回動可能領域内のなかで前記開閉スラットに当接する位置に固定され、前記開閉スラットを前記スラット閉位置にてロックする請求項１に記載のシャッター装置。
【請求項３】
前記ロック手段は、前記ロック位置において、前記回動可能領域のなかで前記開閉スラットの室内側に固定される請求項１に記載のシャッター装置。
【請求項４】
前記ロック手段は上下方向に延び、複数の前記開閉スラットの前記回動角を所定の範囲にてロックする請求項１に記載のシャッター装置。
【請求項５】
前記シャッター装置は、さらに、前記開口部に固定され前記シャッターカーテンの左右方向の少なくとも一方の端部をスライド可能に保持するガイド枠を備え、
前記ロック手段は、該ガイド枠に取り付けられている請求項１に記載のシャッター装置。
【請求項６】
前記ロック手段は前記ガイド枠に枢支され、前記ガイド枠に対して回動して前記回動可能領域の内外に変位する請求項５に記載のシャッター装置。
【請求項７】
前記ロック手段は前記ガイド枠にスライド可能に保持され、前記ガイド枠に対してスライドして前記回動可能領域の内外に変位する請求項５に記載のシャッター装置。
【請求項８】
前記ロック手段と前記ガイド枠との少なくとも一方は磁石からなる第１のロック部を持ち、他方は強磁性体または磁石からなる第２のロック部を持ち、前記ロック手段は該第１のロック部と第２のロック部とが脱着可能に接合して前記回動可能領域内に固定される請求項３に記載のシャッター装置。
【請求項９】
前記ロック手段は、前記ロック位置において、前記嵌合が外れた前記開閉スラットの前記回動可能領域内に固定されて、前記嵌合が外れた前記開閉スラットの回動角を所定の範囲にてロックする請求項１に記載のシャッター装置。
【請求項１０】
前記ロック手段は、前記ロック位置において、前記嵌合が外れた前記開閉スラットを前記スラット閉位置にてロックする請求項９に記載のシャッター装置。
【手続補正２】
【補正対象書類名】明細書
【補正対象項目名】０００７
【補正方法】変更
【補正の内容】
【０００７】
上記課題を解決する本発明のシャッター装置は、左右方向に延び互いに連結されている複数のスラットが上下方向に配列してなり構造物に形成されている開口部の上部に取り付けられるシャッターカーテンと、少なくとも一部のスラットを枢支して連結するリンク部材と、開口部を閉じるカーテン閉位置と開口部を開くカーテン開位置との間でシャッターカーテンを上下動させる開閉手段と、を備え、スラットの少なくとも１つでありリンク部材に枢支されている開閉スラットが、隣接するスラットとの間に間隙が形成されるスラット開位置と、隣接するスラットと当接して間隙が閉じるスラット閉位置と、の間で回動可能であり、シャッターカーテンがカーテン閉位置に配されると隣接するスラット同士が嵌合し、シャッターカーテンがカーテン閉位置から上動した距離が所定長さ以上になると開閉スラットの嵌合が外れるシャッター装置であって、スラットとは別体であり、開閉スラットが回動する回動可能領域の内外に変位し、回動可能領域内のロック位置で固定されるロック手段を備え、ロック手段は、ロック位置に固定されると、開閉スラットの回動を規制して開閉スラットの回動角を所定の範囲にてロックすることを特徴とする。
【手続補正３】
【補正対象書類名】明細書
【補正対象項目名】０００８
【補正方法】変更
【補正の内容】
【０００８】
本発明のシャッター装置は、下記の構成（１）〜（９）の何れかを備えるのが好ましい。（１）〜（９）の複数を備えるのが望ましい。
（１）上記ロック手段は、上記ロック位置において、上記回動可能領域内のなかで上記開閉スラットに当接する位置に固定され、上記開閉スラットを上記スラット閉位置にてロックする。
（２）上記ロック手段は、上記ロック位置において、上記回動可能領域のなかで上記開閉スラットの室内側に固定される。
（３）上記ロック手段は上下方向に延び、複数の上記開閉スラットの上記回動角を所定の範囲にてロックする。
（４）上記シャッター装置は、さらに、上記開口部に固定され上記シャッターカーテンの左右方向の少なくとも一方の端部をスライド可能に保持するガイド枠を備え、上記ロック手段は、ガイド枠に取り付けられている。
（５）（４）の場合、上記ロック手段は上記ガイド枠に枢支され、上記ガイド枠に対して回動して上記回動可能領域の内外に変位する。
（６）（４）の場合、上記ロック手段は上記ガイド枠にスライド可能に保持され、上記ガイド枠に対してスライドして上記回動可能領域の内外に変位する。
（７）（２）の場合、上記ロック手段と上記ガイド枠との少なくとも一方は磁石からなる第１のロック部を持ち、他方は強磁性体または磁石からなる第２のロック部を持ち、上記ロック手段は第１のロック部と第２のロック部とが脱着可能に接合して上記回動可能領域内に固定される。
（８）上記ロック手段は、上記ロック位置において、上記嵌合が外れた上記開閉スラットの上記回動可能領域内に固定されて、上記嵌合が外れた上記開閉スラットの回動角を所定の範囲にてロックする。
（９）（８）の場合、上記ロック手段は、上記ロック位置において、上記嵌合が外れた上記開閉スラットを上記スラット閉位置にてロックする。
【手続補正４】
【補正対象書類名】明細書
【補正対象項目名】０００９
【補正方法】変更
【補正の内容】
【０００９】
本発明のシャッター装置において、開閉スラットはスラット開位置とスラット閉位置との間で回動する。したがって、本発明のシャッター装置によると、シャッターカーテンで開口部を閉じているときにも、開閉スラットをスラット開位置に回動させれば、室内への採光や導風ができる。
【手続補正５】
【補正対象書類名】明細書
【補正対象項目名】００１０
【補正方法】変更
【補正の内容】
【００１０】
また、本発明のシャッター装置は開閉スラットの回動を規制して開閉スラットの回動角を所定の範囲にてロックするロック手段を備える。したがって、開閉スラットの嵌合が外れた状態、すなわち、シャッターカーテンで開口を閉じかつ開閉スラットをスラット開位置に配しているときにシャッター装置が強風を受けた場合にも、ロック手段に規制されてスラットの回動角は所定の範囲にてロックされる。よって、本発明のシャッター装置では、スラットのばたつきを軽減できる。さらに、回動角が所定の範囲にてロックされることで、回動スラットは外れ難くなる。よって、本発明のシャッター装置は防犯性にも優れる。以下、シャッターカーテンが開口部を閉じ、かつ開閉スラットがスラット開位置に配されているときのシャッター装置を、半開状態と呼ぶ。
【手続補正６】
【補正対象書類名】明細書
【補正対象項目名】００１１
【補正方法】変更
【補正の内容】
【００１１】
なお、本発明のシャッター装置では、シャッターカーテンがカーテン閉位置に配されるときには、スラットは嵌合する。したがって、シャッターカーテンがカーテン閉位置に配されているときには、スラットの嵌合によってスラットのばたつきが軽減される。
本発明のシャッター装置が上記構成（１）を備える場合には、開閉スラットがスラット閉位置にてロックされるため、スラットのばたつきをより軽減できる。
【手続補正７】
【補正対象書類名】明細書
【補正対象項目名】００１２
【補正方法】変更
【補正の内容】
【００１２】
本発明のシャッター装置が上記構成（１）を備える場合には、開閉スラットがスラット閉位置にてロックされるため、スラットのばたつきをより軽減できる。